(57)【要約】システム、デバイスおよび方法は、少ない電磁放射がワイヤレスクライアントデバイスのユーザーに衝突するように、ワイヤレスクライアントデバイスによって放出された電磁放射を減少させるかまたは減衰させる（このワイヤレスクライアントデバイスは、例えば、セル式電話またはタブレット型のコンピュータデバイスである。）。この電磁放射は、ワイヤレスクライアントデバイスの表面でまたはワイヤレスクライアントデバイスの表面の近くで測定された場合に、使用中約９０％減少し得る。
2016502259.tif 000002
【特許請求の範囲】
【請求項１】
表面と裏面とを有するワイヤレスクライアントデバイスによって放出された電磁放射からユーザーを遮蔽するように構成されたシステムであって、該システムは、
該ワイヤレスクライアントデバイスに取り外し可能で取り付けられるように構成された保持構造と、
受信器であって、該受信器は、該保持構造が該ワイヤレスクライアントデバイスに取り付けられたことに対応して該ワイヤレスクライアントデバイスの該裏面の近くに該受信器が置かれるように保持構造によって保持され、該受信器は、該ワイヤレスクライアントデバイスによって放出された電磁放射を受信するように構成され、該受信器は、金属性のメッシュを含む、受信器と、
該保持構造によって保持された送信器であって、該送信器は、該受信器と結合されており、該受信器から受信された電磁放射を送信するように構成され、該送信器は、ねじられたワイヤーのペアを含み、該ねじられたワイヤーのペアは、平らな螺旋の形のコイルを形成するように螺旋状に巻かれている、送信器と
を備える、システム。
【請求項２】
前記ワイヤレスクライアントデバイスは、携帯電話を含む、請求項１に記載のシステム。
【請求項３】
前記電磁放射は、約４００ＭＨｚと約２．５ＧＨｚとの間の周波数の主な範囲を有する、請求項１に記載のシステム。
【請求項４】
前記送信された電磁放射は、縦波を形成する、請求項１に記載のシステム。
【請求項５】
前記送信器は、１つ以上の電気的結合を通して前記受信器から前記電磁放射を受信するように構成される、請求項１に記載のシステム。
【請求項６】
第１の電気的結合は、第１の外側ワイヤー端と結合され、該第１の外側ワイヤー端は、前記平らな螺旋の周辺にあり、第２の電気的結合は、第２の外側ワイヤー端と結合され、該第２の外側ワイヤー端は、該平らな螺旋の周辺にあり、該第１の外側ワイヤー端および該第２の外側ワイヤー端は、前記ねじられたワイヤーのペアに接続される、請求項５に記載のシステム。
【請求項７】
第１の電気的結合は、第１の内側ワイヤー端と結合され、該第１の内側ワイヤー端は、前記平らな螺旋の中央にあり、第２の電気的結合は、第２の内側ワイヤー端と結合され、該第２の内側ワイヤー端は、該平らな螺旋の中央にあり、該第１の内側ワイヤー端および該第２の内側ワイヤー端は、前記ねじられたワイヤーのペアと接続される、請求項５に記載のシステム。
【請求項８】
第１の電気的結合は、第１の内側ワイヤー端と結合され、該第１の内側ワイヤー端は、前記平らな螺旋の中央にあり、第２の電気的結合は、第１の外側ワイヤー端と結合され、該第１の外側ワイヤー端は、該平らな螺旋の周辺にあり、該平らな螺旋の中央にある第２の内側ワイヤー端は、該平らな螺旋の周辺にある第２の外側ワイヤー端と電気的に結合され、該第１の内側ワイヤー端、該第２の内側ワイヤー端、該第１の外側ワイヤー端および該第２の外側ワイヤー端は、前記ねじられたワイヤーのペアに接続される、請求項５に記載のシステム。
【請求項９】
前記受信器は、前記ワイヤレスクライアントデバイスの前記裏面の下の領域の近くに置かれるように配置される、請求項１に記載のシステム。
【請求項１０】
前記送信器は、前記受信器の上に置かれるように配置される、請求項１に記載のシステム。
【請求項１１】
前記保持構造の１つ以上の周辺部分は、前記受信器の中央に対して実質的に横切る角度で配置され、１つ以上の周辺部分は、前記ワイヤレスクライアントデバイスの１つ以上の側面の近くに置かれる、請求項１に記載のシステム。
【請求項１２】
前記ワイヤレスクライアントデバイスによって放出された前記電磁放射は、該ワイヤレスクライアントデバイスのアクティブな動作中、該ワイヤレスクライアントデバイスの１２インチの範囲内で少なくとも４０ｄＢ減衰する、請求項１に記載のシステム。
【請求項１３】
スタンバイモード中に前記ワイヤレスクライアントデバイスによって放出された前記電磁放射は、該ワイヤレスクライアントデバイスの前記表面でまたはその近くで測定すると、約８０％減少する、請求項１に記載のシステム。
【請求項１４】
電話通信中に前記ワイヤレスクライアントデバイスによって放出された前記電磁放射は、該ワイヤレスクライアントデバイスの前記表面でまたはその近くで測定すると、約９０％減衰する、請求項１に記載のシステム。
【請求項１５】
表面と裏面とを有するワイヤレスクライアントデバイスによって放出された電磁放射からユーザーを遮蔽する方法であって、該方法は、
該ワイヤレスクライアントデバイスに対する取り外し可能な取り付けのための保持構造を提供することと、
受信器が該ワイヤレスクライアントデバイスの該裏面の近くに置かれるように該保持構造によって該受信器を保持することであって、該受信器は、該ワイヤレスクライアントデバイスによって放出された電磁放射を受信するように構成され、該受信器は、金属性のメッシュを含む、ことと、
送信器が該ワイヤレスクライアントデバイスの該裏面の近くに置かれるように該保持構造によって該送信器を保持することであって、該送信器は、該受信器と結合されるように構成され、該送信器は、該受信器から受信された電磁放射を送信するように構成され、該送信器は、ねじられたワイヤーのペアを含み、該ねじられたワイヤーのペアは、平らな螺旋の形のコイルを形成するように螺旋状に巻かれている、ことと
を含む、方法。
【請求項１６】
前記送信器は、１つ以上の電気的結合を通して前記受信器と結合される、請求項１５に記載の方法。
【請求項１７】
第１の電気的結合は、第１の外側ワイヤー端と結合され、該第１の外側ワイヤー端は、前記平らな螺旋の周辺にあり、第２の電気的結合は、第２の外側ワイヤー端と結合され、該第２の外側ワイヤー端は、該平らな螺旋の周辺にあり、該第１の外側ワイヤー端および該第２の外側ワイヤー端は、前記ねじられたワイヤーのペアに接続される、請求項１６に記載の方法。
【請求項１８】
第１の電気的結合は、第１の内側ワイヤー端と結合され、該第１の内側ワイヤー端は、前記平らな螺旋の中央にあり、第２の電気的結合は、第２の内側ワイヤー端と結合され、該第２の内側ワイヤー端は、該平らな螺旋の中央にあり、該第１の内側ワイヤー端および該第２の内側ワイヤー端は、前記ねじられたワイヤーのペアに接続される、請求項１６に記載の方法。
【請求項１９】
第１の電気的結合は、第１の内側ワイヤー端と結合され、該第１の内側ワイヤー端は、前記平らな螺旋の中央にあり、第２の電気的結合は、第１の外側ワイヤー端と結合され、該第１の外側ワイヤー端は、該平らな螺旋の周辺にあり、該平らな螺旋の中央にある第２の内側ワイヤー端は、該平らな螺旋の周辺にある第２の外側ワイヤー端と電気的に結合され、該第１の内側ワイヤー端、該第２の内側ワイヤー端、該第１の外側ワイヤー端および該第２の外側ワイヤー端は、該ねじられたワイヤーのペアに接続される、請求項１６に記載の方法。
【請求項２０】
電話通信中に前記ワイヤレスクライアントデバイスによって放出された前記電磁放射は、該ワイヤレスクライアントデバイスの前記表面でまたはその近くで測定すると、約９０％減衰する、請求項１５に記載の方法。
【発明の詳細な説明】
【技術分野】
【０００１】
（関連出願）
本出願は、「Ｃａｄｕｃｅｕｓ  −  ｓｔｙｌｅ  ｃｏｉｌ  ｗｉｔｈ  ａｓｓｏｃｉａｔｅｄ  ｈａｒｄｗａｒｅ  ｔｈａｔ  ｈａｓ  ａｐｐｌｉｃａｔｉｏｎｓ  ｉｎ  ｒａｄｉａｔｉｏｎ  ｒｅｄｕｃｔｉｏｎ  ａｎｄ  ｐｒｏｄｕｃｔｉｏｎ  ｏｆ  ｌｏｎｇｉｔｕｄｉａｌ  ｗａｖｅｓ」というタイトルで２０１２年１０月１３日に出願された米国特許出願番号６１／７９５，２２１に対して優先権を主張する。この出願は、参照により、その全体が本出願に組み込まれる。
【０００２】
（発明の分野）
本発明は、セル式電話や他のクライアントデバイスを含むがこれらに限定されないワイヤレスデバイスによって放出された電磁放射からユーザーを遮蔽するシステムに関連する。これにより放出された電磁放射の少なくとも一部はこれらのワイヤレスデバイスのユーザーに衝突しない。本発明は、これらのシステムの動作または製造の方法にも関連する。
【背景技術】
【０００３】
（発明の背景）
電子デバイスおよび／またはワイヤレスデバイス（セル式電話を含む）が動作中に電磁放射を放出することが知られている。放出された電磁放射の少なくとも一部がデバイスのユーザーに衝突することが知られている。電磁放射の衝突が特定の状況下で望ましくなくあり得ることが知られている。電磁放射が様々なメカニズム（吸収、偏向および／または他のメカニズムを含む）によって減衰され得ることが知られている。
【発明の概要】
【課題を解決するための手段】
【０００４】
本発明の１つの側面は、ワイヤレスデバイスによって放出された電磁放射からユーザーを遮蔽するように構成されたシステムに関連する。ワイヤレスデバイスは、セル式電話のような携帯遠距離通信デバイスおよび／またはそれらの機能を含み得る。ワイヤレスデバイスは、ワイヤレス（ローカルエリア）ネットワーク機能（例えば、Ｗｉ−ＦｉＴＭを通して）を含み得る。ワイヤレスデバイスは、携帯電話、タブレット型のコンピュータデバイス、ゲーミングデバイスおよび／または他の電子デバイスに連結的に統合され得る、組み合わされ得る、埋め込まれ得る、および／または動作し得る。本明細書で使用される場合、単語「ワイヤレスクライアントデバイス」は、単語「ワイヤレスデバイス」と取り替え可能で使用され得る。
【０００５】
本開示の文脈の中で、「ｓｈｉｅｌｄ（遮蔽する）」「ｓｈｉｅｌｄｉｎｇ（遮蔽する）」およびそれらの変形は、電磁放射の（例えば、ユーザーに対する）衝突の量の減少を指す。この減少は、割合および／または他の方法で、デシベルの特定の数の減衰として定量化され得る。この減衰は、電磁放射の周波数の範囲内で変化し得る。言い換えると、特定の減衰は、電磁放射の特徴（周波数または周波数の範囲を含む）に依存し得る。特定の減衰は、スタンバイモード、電話の使用、データ転送および／または動作の他のモードを含むがこれらに限定されない様々な動作状況下で測定され得る。特定の減衰は、異なる位置および／または場所（ワイヤレスデバイスの表面またはその近くの位置および／または場所、ワイヤレスデバイスの裏面またはその近くの位置および／または場所、ワイヤレスデバイスの表面または裏面から所定の距離の位置および／または場所ならびに／あるいは他の位置および／または場所に関連した位置および／または場所を含むがこれらに限定されない）で測定され得る。例えば、所定の距離は、ユーザーの耳、顔および／または頭からのユーザーが電話をつかんだところまでの平均距離、または言い換えると、約１インチ、約２インチ、約３インチ、約４インチ、約６インチ、約８インチ、約１０インチ、約１２インチおよび／または他の所定の距離に対応し得る。
【０００６】
遮蔽の対象とされた電磁放射の周波数の適切な範囲は、ワイヤレスデバイスによって使用された特定のテレコミュニケーションサービスおよび／またはテレコミュニケーション規格に依存する。遮蔽する周波数の主な範囲は、約４００ＭＨｚと約２．５ＧＨｚとの間（またはこれらの限界の範囲内の任意の部分範囲）であり得る。本開示の文脈の中で、周波数の「主な」範囲は、意図されたテレコミュニケーション信号を含む周波数の範囲、および／または放出された電磁放射内のエネルギーの量の大部分を含む周波数の範囲を指す。任意の１つの特定のテレコミュニケーション規格は、この範囲の一部のみをカバーし得る。例えば、米国で使われているようなＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）周波数バンドは、アップリンク、ダウンリンクのためにそれぞれ１７１０−１７５５ＭＨｚ、２１１０−２１５５ＭＨｚであり得る。使用された特定の周波数バンドは、オペレータ／キャリア間で変化し得、および異なる地理的な場所の間で変化し得ることに注意されたい。
【０００７】
ワイヤレスデバイスによって放出された電磁放射の減少は、ワイヤレスデバイスのユーザーと衝突する電磁放射の量と関連して考慮され得る。電磁放射の減少は、吸収、偏向、受信、（再）送信および／またはワイヤレスデバイスのユーザーに衝突する電磁放射の量を減少するための他のメカニズムを含むがこれらに限定されない様々なメカニズムを通して達成され得る。
【０００８】
放出された電磁放射の減少は、保持構造、受信器、送信器および／または他の構成要素のうちの１つ以上を含むシステムを通して達成され得る。
【０００９】
受信器および／または送信器は、保持構造によって保持され得る。保持構造は、ワイヤレスデバイスに取り外し可能で取り付けられるように構成され得る。いくつかの実施の中で、保持構造は、積層物および／またはプラスチック物質の他の層を含み得る。例えば、受信器および／または送信器は、保持構造として機能するプラスチック物質の層に包まれ得るおよび／または積層され得る。いくつかの実施の中で、保持構造は、ワイヤレスデバイスの裏面にまたはその近くに配置され得るおよび／または置かれ得る。例えば、保持構造は、ワイヤレスデバイスとスマートフォンのカバーのような保護カバーおよび／またはワイヤレスデバイスのケースとの間にフィットするように構成され得る。
【００１０】
受信器は、ワイヤレスデバイスの裏面にまたはその近くに配置され得るおよび／または置かれ得る。受信器は、保持構造によって保持され得る。いくつかの実施の中で、受信器および／または保持構造は、ワイヤレスデバイスの１つ以上の側面（またはそれの部分）におよび／またはその近くに配置され得る周辺部分を含み得る。いくつかの実施の中で、システムは、穴、隙間、切欠きおよび／またはワイヤレスデバイスの１つ以上の構成要素のための他のオープンスペースを含み得る。例えば、これらの構成要素は、非限定的な例として、ボタン、スイッチ、スクリーン、コントロールインターフェース構成要素、スピーカー、カメラ、アンテナおよび／または他の構成要素のようにアクセス可能であることおよび／またはブロックされないことが必要であり得る。これらの構成要素の数およびそれらの配置は、例えば、ニューリリースモデルの特定のスマートフォンが、特定の寸法、周辺部分、切欠き、穴ならびに／あるいは他のデバイス依存のおよび／またはモデル依存の特徴を有する、電磁放射からユーザーを遮蔽するように構成されたシステムとともに使用され得るように、ワイヤレスデバイスのモデルとブランドとの間で変化し得ることに注意されたい。
【００１１】
受信器は、ワイヤレスデバイスによって放出された電磁放射を受信するように構成され得る。いくつかの実施の中で、受信器は、金属性のメッシュを含み得る。受信器は、受信された電磁放射を電磁気信号に変換するように構成され得る。いくつかの実施の中で、受信器に含まれる金属性のメッシュは、ワイヤレスデバイスの幅（および／または任意の他の寸法）に及び得る。いくつかの実施の中で、受信器に含まれる金属性のメッシュは、ワイヤレスデバイスの下（裏面）の領域を覆い得る。例えば、受信器は、ユーザーの動作および／または相互作用が過度に妨げられなくあり得るように、下の２５％、３０％、４０％、５０％、６０％、７０％、７５％またはワイヤレスデバイスの別の適した部分を覆い得る。いくつかの実施の中で、受信器は、不透明であり得、その結果ディスプレイを含むがこれらに限定されない、ユーザーに対して情報（特に画像情報）を提示するワイヤレスデバイスの構成要素を覆うことを妨げることが賢明であり得る。
【００１２】
送信器は、ワイヤレスデバイスの裏面にまたはその近くに配置され得るおよび／または置かれ得る。送信器は、保持構造によって保持され得る。いくつかの実施の中で、送信器および／または保持構造は、ワイヤレスデバイスの１つ以上の側面（またはその部分）にまたはその近くに配置され得る周辺部分を含み得る。いくつかの実施の中で、システムは、穴、隙間、切欠きおよび／またはワイヤレスデバイスの１つ以上の構成要素の他のオープンスペースを含み得る。例えば、これらの構成要素は、非限定的な例として、ボタン、スイッチ、スクリーン、コントロールインターフェース構成要素、スピーカー、カメラ、アンテナおよび／または他の構成要素のようにアクセス可能であることおよび／またはブロックされないことが必要であり得る。これらの構成要素の数およびそれらの配置は、例えば、ニューリリースモデルの特定のスマートフォンが特定の寸法、周辺部分、切欠き、穴ならびに／あるいは他のデバイス依存のおよび／またはモデル依存の特徴を有する、電磁放射からユーザーを遮蔽するように構成されたシステムとともに使用され得るように、ワイヤレスデバイスのモデルとブランドとの間で変化し得ることに注意されたい。
【００１３】
送信器は、受信器と送信器との間に１つ以上の電気的結合が存在するように受信器と電気的に結合され得る。電磁気信号は、受信器と送信器との間で転送され得る。送信器は、受信器からの電磁気信号および／または電磁放射を受信するように構成され得る。送信器は、電磁気信号および／または電磁放射を送信するように構成され得る。例えば、送信器は、送信器によって受信器から受信された電磁気信号および／または電磁放射を送信するように構成され得る。送信器は、特定の方向に電磁気信号および／または電磁放射を送信するように構成され得る。例えば、特定の方向は、送信器からの送信がワイヤレスデバイスのユーザーから実質的に離れ得るように選ばれ得る。本明細書で使用される場合、「実質的に離れる」は、信号、波またはそれらのエネルギーの大部分の方向を示すために使用され得る。
【００１４】
送信器は、１つ以上の電気的伝導性ワイヤーを含み得る。いくつかの実施の中で、送信器は、ワイヤーの１つ以上のペアを含む。いくつかの実施の中で、送信器は、ワイヤーの１つ以上のトリオ、トリップレットおよび／またはスリーサムを含み得る。ワイヤーのペアは、第１のワイヤーおよび第２のワイヤーを含み得る。ワイヤーのトリオ、トリップレットまたはスリーサムは、第１のワイヤー、第２のワイヤーおよび第３のワイヤーを含み得る。ワイヤーのペアの個々のワイヤーは、互いの周りでねじられ得る。言い換えると、ワイヤーのペアの第１のワイヤーおよび第２のワイヤーは、互いの周りでねじられ得る。いくつかの実施の中で、送信器は、ねじられたワイヤーの１つ以上のペアを含み得る。ねじられたワイヤーのペアの個々のワイヤーは、コイルを形成するように螺旋状に巻かれ得る。例えば、形成されたコイルは、平らな螺旋の形であり得る。本明細書で使用される場合、単語「平らな」は、形または構造のために使用される物質において本来備わっている三次元は別として、二次元平面内に配置または二次元平面に沿って延在している形および／または構造に対して使用され得る。例えば、いわゆるパンケーキコイルの螺旋状に巻かれたワイヤーは、平らであると考慮され得る。
【００１５】
いくつかの実施の中で、受信器、送信器および／または保持構造の１つ以上の周辺部分は、ワイヤレスデバイスの１つ以上の側面の一部および／または表面が覆われるように配置され得るおよび／または折られ得る。ユーザーの相互作用のために使用されている電子デバイスの表面の一部がシステムによって覆われないままであることが必要であり得るということに注意されたい。例えば、実質的に表面全体を覆うタッチスクリーンをワイヤレスデバイスが含む場合に、システム（特に受信器および／または保持構造）は、表面よりもむしろ裏面におよび／または１つ以上の側面にまたはそれらの近くに置かれるように配置され得る。
【００１６】
本開示のこれらのおよび他の目的、特徴および特色、さらに動作の方法、構造の関連した構成要素の機能、部分の組み合わせおよび製造の経済性は、付随している図面の参照とともに以下の記載および添付された請求項の考慮の上でより明白になるだろう。図面の全てが本明細書の一部を形成し、同様の参照数字は、様々な図の中の対応する部分を示す。しかしながら、図面は、図示および記載のみの目的のためであり、任意の限界の定義として意図されないということを明確に理解されたい。本明細書および請求項で使用される場合、文脈が明らかに別のものを指示しない限り、「ａ」「ａｎ」および「ｔｈｅ」の単数形は、複数の指示対象を含む。
【図面の簡単な説明】
【００１７】
【図１】図１は、ワイヤレスデバイスから放出された電磁放射を遮蔽するように構成されたシステムを概略的に図示する。
【図２】図２は、ワイヤレスデバイスによって放出された電磁放射からユーザーを遮蔽する方法を図示する。
【図３】図３は、ワイヤレスデバイスから放出された電磁放射を遮蔽するように構成されたシステムの例示的実施形態を図示する。
【図４】図４は、ワイヤレスデバイスから放出された電磁放射を遮蔽するように構成されたシステムを概略的に図示する。
【図５】図５は、ＰＣＢ板上のコイルを図示する。
【図６】図６は、構成する図６Ａ、６Ｂおよび６Ｃを通して、１つ以上の実施形態によるコイルの詳細を図示する。
【図７】図７は、構成する図７Ａ、７Ｂおよび７Ｃを通して、受信器の例示的実施形態および／またはそれの詳細を図示する。
【図８】図８は、構成する図８Ａおよび８Ｂを通して、受信器の例示的実施形態および／またはそれの詳細を図示する。
【図９】図９は、構成する図９Ａおよび９Ｂを通して、受信器の例示的実施形態および／またはそれの詳細を図示する。
【図１０】図１０は、ワイヤレスデバイスから放出された電磁放射を遮蔽するように構成されたシステムの例示的実施形態を図示する。
【発明を実施するための形態】
【００１８】
携帯電話を含むワイヤレスデバイスによって放出された電磁放射の（ユーザーに対する）衝突は、特定の状況下で望ましくなくあり得る。
【００１９】
図１は、ワイヤレスデバイス（図１には示されていない）によって放出された電磁放射を遮蔽するように構成されたシステム１０を概略的に図示する。ワイヤレスデバイスは、表面、裏面および１つ以上の側面を有し得る。システム１０は、表面、裏面および１つ以上の側面を有し得る。非限定的な例として、システム１０は、ユーザーをｉＰｈｏｎｅＴＭ４ＳＴＭまたは類似した携帯電話／スマートフォンから放出された電磁放射から遮蔽するように構成され得る。
【００２０】
システム１０による、ワイヤレスデバイスによって放出された電磁放射の遮蔽が、ワイヤレスデバイスのユーザーに衝突する電磁放射のデシベルの特定の数の減衰として定量化され得る。減衰は、電磁放射の周波数範囲ごとに特有であり得るかまたは区別され得る。減衰は、周波数依存であり得る。減衰のデシベルの特定の数は、約２５ｄＢ、少なくとも２５ｄＢ、約３０ｄＢ、約４０ｄＢ、約５０ｄＢ、約６０ｄＢ、約７０ｄＢ、約８０ｄＢ、約９０ｄＢ、約１００ｄＢおよび／または他の量の減衰のデシベルであり得る。システム１０による、ワイヤレスデバイスによって放出された電磁放射の遮蔽が、ワイヤレスデバイスのユーザーに衝突する電磁放射のデシベルの特定の割合の減衰として定量化され得る。特定の割合は、スタンバイモード、ダウンロードモード、アップロードモード、ゲーミングモード、電話の使用および／または他の動作のモードを含むがこれらに限定されない、ワイヤレスデバイスの動作のモードに依存し得る。特定の割合は、約５０％、約６０％、約７０％、約８０％、約８５％、約９０％、約９５％、約９６％、約９７％、約９８％および／または別の割合であり得る。
【００２１】
減衰の測定は、比吸収率（ＳＡＲ）テストを含み得る。他のタイプのテストは、本開示の範囲内と考慮され得る。測定は、非限定的な例としてＧＳＭ（登録商標）８５０のような特定の動作バンドに特有であり得る。測定は、ワイヤレスデバイスの表面により放出された、ワイヤレスデバイスの裏面により放出された、ユーザーの頭や耳から異なる距離の（１インチ、１／２インチ、１５ｍｍから０インチまでの範囲）、相対的な周囲の湿度または周囲の温度の様々なレベルの、および／または他の様々な動作状況を考慮した、電磁放射に関係し得る。
【００２２】
システム１０は、保持構造１１、受信器１４、送信器１３、および／または他の構成要素のうちの１つ以上を含み得る。
【００２３】
保持構造１１は、物質の１つ以上の層を含み得る。物質の１つ以上の層は、受信器１４および／または送信器１３を保持および／または保護するための構造上のサポートを提供し得る。いくつかの実施の中で、システム１０は、受信器１４、送信器１３、および／またはシステム１０の他の構成要素を保持するための別個の保持構造を含み得る。いくつかの実施の中で、保持構造１１は、積層物（例えば、ポリエチレンを含む）および／またはプラスチック物質の他の層を含み得る。例えば、受信器１４および／または送信器１３は、保持構造１１として機能するプラスチック物質の層に包まれ得るおよび／または積層され得る。保持構造１１は、取り外し可能なようにワイヤレスデバイスに取り付けられるように構成され得る。いくつかの実施の中で、保持構造１１は、ワイヤレスデバイスの裏面にまたはその近くに配置され得るおよび／または置かれ得る。例えば、保持構造１１は、ワイヤレスデバイスと、スマートフォンのカバーのようなワイヤレスデバイスの保護カバーおよび／またはケースとの間にフィットするように構成され得る。
【００２４】
いくつかの実施の中で、本明細書に記載された保持構造は、「Ｃａｄｕｃｅｕｓ−ｓｔｙｌｅ  ｃｏｉｌ  ｗｉｔｈ  ａｓｓｏｃｉａｔｅｄ  ｈａｒｄｗａｒｅ  ｔｈａｔ  ｈａｓ  ａｐｐｌｉｃａｔｉｏｎｓ  ｉｎ  ｒａｄｉａｔｉｏｎ  ｒｅｄｕｃｔｉｏｎ  ａｎｄ  ｐｒｏｄｕｃｔｉｏｎ  ｏｆ  ｌｏｎｇｉｔｕｄｉａｌ  ｗａｖｅｓ」というタイトルで２０１２年１０月１３日に出願された米国特許出願番号６１／７９５，２２１に記載されたおよび／または描かれたクリアプラスチック層のようなクリアプラスチック層を含み得る。この出願は、参照により、その全体が本出願に組み込まれる。この出願は、これ以降「‘２２１出願」と呼ばれる。
【００２５】
いくつかの実施の中で、システム１０の１つ以上の構成要素は、「ＳＨＩＥＬＤＩＮＧ  ＣＥＬＬ  ＰＨＯＮＥ  ＲＡＤＩＡＴＩＯＮ」というタイトルで２０１２年１０月２３日に出願された米国特許出願番号１３／６５８，６７９に記載された遮蔽物質のような物質の１つ以上の層を含み得る。この出願は、参照により、その全体が本出願に組み込まれる。この出願は、これ以降「‘６７９出願」と呼ばれる。例えば、保持構造１１は、‘６７９出願に記載されたカーボンベースのマイクロ波吸収ファブリックおよび／またはコバルト合金でコーティングされたＲＦ遮蔽ファブリックのような吸収および／または偏向を通して電磁放射を減衰させる性質の片方または両方を有する物質の１つ以上の層を含み得る。
【００２６】
受信器１４は、ワイヤレスデバイスの裏面にまたはその近くに配置され得るおよび／または置かれ得る。受信器１４は、保持構造１１によって保持され得る。いくつかの実施の中で、受信器１４および／または保持構造１１は、ワイヤレスデバイスの１つ以上の側面（またはその部分）にまたはその近くに配置され得る周辺部分を含み得る。例えば、図１に（等大で）描かれたように、受信器１４は、ワイヤレスデバイスの側面にまたはその近くに配置され得る周辺部分１６を含む。１つ以上の周辺部分１６は、１つ以上の周辺部分１６が覆うように設置され得るようにおよび／またはワイヤレスデバイスの１つ以上の側面にまたはその近くに置かれ得るように、受信器１４の中央に対して実質的に横切る角度で折り曲げられ得る。言い換えると、周辺部分１６は、携帯電話／スマートフォンの側面の一面におよび／または周囲に折り曲げられ得る。いくつかの実施の中で、ワイヤレスデバイスの１つ以上の側面は、非限定的な例としてボタンやアンテナのような電子デバイスの所定のタイプの構成要素が覆われないように、１つ以上の周辺部分１６に覆われ得る。
【００２７】
図１に描かれているように、受信器１４は、受信器幅１４ａおよび／または受信器高さ１４ｂにわたって延在し得る。受信器幅１４ａは、非限定的な例としてスマートフォンやタブレット型のコンピュータデバイスのようなワイヤレスデバイスの重要な部分を覆うために約１インチ、約２インチ、約２．５インチ、約３インチ、約４インチ、約５インチ、約６インチ、約７インチ、約８インチ、約９インチ、約１０インチおよび／または別の適した幅であり得る。受信器高さ１４ｂは、ワイヤレスデバイスの重要な部分を覆うために約１インチ、約２インチ、約２．５インチ、約３インチ、約４インチ、約５インチ、約６インチ、約７インチ、約８インチ、約９インチ、約１０インチおよび／または別の適した高さであり得る。図１に描かれているように、保持構造１１の幅は、受信器幅１４ａと類似し得るが、これは例示的であり、いずれの態様においても限定することを意図しない。
【００２８】
受信器１４は、ワイヤレスデバイスにより放出された電磁放射を受信するように構成され得る。いくつかの実施の中で、受信器１４は、金属性のメッシュを含み得る。金属性のメッシュの粒度（すなわち、メッシュの中の筋の間の距離）は、図１の描写によって限定されない。距離は、変化し得るおよび／または約０．００５インチから０．１インチまでの範囲および／またはそれらの間の適した距離であり得る。
【００２９】
受信器１４は、受信された電磁放射を電磁気信号に変換するように構成され得る。いくつかの実施の中で、受信器１４に含まれる金属性のメッシュは、ワイヤレスデバイスの幅（および／または他の寸法）に及び得る。いくつかの実施の中で、受信器１４は、不透明であり得、その結果ディスプレイおよび／またはタッチスクリーンを含むがこれらに限定されない、ユーザーに対して情報（特に画像情報）を提示するワイヤレスデバイスの構成要素を覆うことを妨げることが賢明であり得る。
【００３０】
送信器１３は、ワイヤレスデバイスの裏面にまたはその近くに配置され得るおよび／または置かれ得る。送信器１３は、保持構造１１によって保持され得る。いくつかの実施の中で、送信器１３および／または保持構造１１は、ワイヤレスデバイスの１つ以上の側面（またはその部分）にまたはその近くに配置され得る周辺部分を含み得る。いくつかの実施の中で、送信器１３および受信器１４は、ワイヤレスデバイスの同じ部分にまたはその近くに配置され得るおよび／または置かれ得る。図１に描かれているように、いくつかの実施の中で、送信器１３は、受信器１４の上に配置され得るおよび／または置かれ得る。この描写は、いずれの態様においても限定することを意図しない。いくつかの実施の中で、送信器１３および受信器１４は、重なり合わなくあり得る。
【００３１】
送信器１３は、１つ以上の電気的結合が送信器１３と受信器１４との間に存在するように受信器１４と電気的に結合され得る。送信器１３は、例えば１つ以上の電気的結合を通して、受信器１４から電磁気信号および／または電磁放射を受信するように構成され得る。いくつかの実施の中で、電気的結合は、受信器１４の金属性のメッシュを送信器１３のワイヤーに（および／または伝導性のあるワイヤー（示されていない）を介して送信器１３に）はんだ付けすることによって、および／またはそれ以外の方法で受信器１４を送信器１３に電気的に結合することによって形成され得る。図１に描かれているように、システム１０は、第１の電気的結合１８ａおよび第２の電気的結合１８ｂを含み得る。いくつかの実施の中で、第１の電気的結合１８ａおよび第２の電気的結合は、受信器１４の反対側の端に置かれ得る。図１に示された電気的結合の数と位置は、いずれの態様においても限定することを意図しない。
【００３２】
送信器１３は、電磁気信号および／または電磁放射を送信するように構成され得る。例えば、送信器１３は、送信器１３によって受信器１４から受信された電磁気信号および／または電磁放射を送信するように構成され得る。送信器１３は、縦波を送信するように構成され得る。いくつかの実施の中で、送信器１３は、受信された電磁気信号および／または電磁放射を縦波に変換するように構成され得る。
【００３３】
送信器１３は、特定の方向に電磁気信号および／または電磁放射を送信するように構成され得る。例えば、特定の方向は、送信器１３からの送信が実質的にワイヤレスデバイスのユーザーから離れ得るように選ばれ得る。
【００３４】
送信器１３は、電気的伝導性１つ以上の電気伝導性ワイヤーを含み得る。いくつかの実施の中で、送信器は、ワイヤーの１つ以上のペアを含む。図１に描かれているように、送信器１３は、ねじられたワイヤー１９ａと１９ｂのペア１２を含み得る。ワイヤーのペアの個々のワイヤーは、互いに周りでねじられ得る。拡大図１２ｃによって図１に描かれているように、ペア１２のワイヤー１９ａとワイヤー１９ｂは、互いに周りでねじられ得る。いくつかの実施の中で、送信器１３は、ねじられたワイヤーの１つ以上のペアを含み得る。
【００３５】
ねじられたワイヤーのペアの個々のワイヤーは、コイルを形成するように螺旋状に巻かれ得る。例えば、形成されたコイルは、平らな螺旋状の形をし得る。図１に描かれているように、ペア１２は、コイル１７を形成するように螺旋状に巻かれ得る。コイル１７は、いわゆるパンケーキコイルおよび／またはテスラコイルであり得る。コイル１７は、コイル周辺１７ｂとコイル中央１７ａとを含み得る。ワイヤー１９ａと１９ｂは、コイル周辺１７ａにまたはその近くにワイヤー端１５ａと１５ｂとを含み得る。ワイヤー１９ａと１９ｂは、コイル中央１７ａにまたはその近くにワイヤー端１５ｃと１５ｄを含み得る。いくつかの実施の中で、ワイヤー端１５ａとワイヤー端１５ｃは、どちらもワイヤー１９ａに含まれ得る。いくつかの実施の中で、ワイヤー端１５ｂとワイヤー端１５ｄは、どちらもワイヤー１９ｂに含まれ得る。
【００３６】
いくつかの実施の中で、送信器１３は、１つ以上のコイルを含み得る。コイル１７の形は、円形、楕円形、三角形、長方形および／または他の多角形の形であり得る。
【００３７】
説明として、図４は、（ワイヤーのペア１２によって形成された）長方形の送信器１３を使用して電磁放射を遮蔽するように構成されたシステム１０を概略的に図示する。ペア１２の中の個々のワイヤーは図４には描かれていないことに留意されたい。図４に描かれているように、送信器１３は、受信器１４の周りに配置され得るおよび／または置かれ得る。および／またはその逆もまた然りである（示されていない）。いくつかの実施の中で、受信器によって覆われた区域は、様々なパターンで、１つ以上の送信器によって覆われた区域と互い違いにされ得る。例えば、ワイヤレスデバイスの裏面の上３分の１と下３分の１は、受信器（例えば、金属性のメッシュ）に覆われ得、ワイヤレスデバイスの裏面の真ん中３分の１は、１つ以上の送信器に覆われ得る。他のパターンは、本開示の範囲内と考慮され得る。
【００３８】
ワイヤー端１５ａ、１５ｂ、１５ｃと１５ｄは、異なる方法または構成で互いにおよび／または受信器１４の金属性のメッシュ（例えば、電気的結合１８ａおよび／または１８ｂを通して）と電気的に結合され得る。個々の構成は、異なる電磁気的性質を有し得る。例えば、第１の構成において、電気的結合１８ａは、ワイヤー端１５ａと電気的に結合され得、電気的結合１８ｂは、ワイヤー端１５ｂと電気的に結合され得、ワイヤー端１５ｃは、ワイヤー端１５ｄと電気的に結合され得る。例えば、第２の構成において、電気的結合１８ａは、ワイヤー端１５ｃと電気的に結合され得、電気的結合１８ｂは、ワイヤー端１５ｄと電気的に結合され得、ワイヤー端１５ａは、ワイヤー端１５ｂと電気的に結合され得る。例えば、第３の構成において、電気的結合１８ａは、ワイヤー端１５ｃと電気的に結合され得、電気的結合１８ｂは、ワイヤー端１５ａと電気的に結合され得、ワイヤー端１５ｄは、ワイヤー端１５ｂと電気的に結合され得る。例えば、第４の構成において、電気的結合１８ａは、ワイヤー端１５ｃと電気的に結合され得、電気的結合１８ｂは、ワイヤー端１５ｄと電気的に結合され得、ワイヤー端１５ａは、ワイヤー端１５ｂと電気的に結合され得る。記載された構成の範囲内で、ワイヤー端１５ａは、ワイヤー端１５ｂの代わりに用いられ得、その逆もまた然りである。記載された構成の範囲内で、ワイヤー端１５ｃは、ワイヤー端１５ｄの代わりに用いられ得、その逆もまた然りである。記載された構成の範囲内で、電気的結合１８ａが、電気的結合１８ｂの代わりに用いられ得、その逆もまた然りである。電気的結合の他の構成と入れ替え／組み合わせは、本開示の範囲内と考慮される。
【００３９】
説明として、図３は、上記の第４の構成と類似するように電磁放射を遮蔽するように構成されたシステム１０を図示している。図３に描かれたように、受信器１４は、送信器１３の表側にまたは裏側に直接に配置され得るおよび／または置かれ得ることに留意されたい。
【００４０】
コイル１７は、コイル幅１７ｃを有し得る。コイル幅１７ｃは、約１インチ、約１．５インチ、約２インチ、約２．５インチ、約３インチ、約４インチ、約５インチ、約６インチ、約７インチ、約８インチ、約９インチ、約１０インチおよび／または別の適した幅であり得る。
【００４１】
ねじられたワイヤーのペア１２は、コイル１７を形成するためにコイル中央１７ａの周りの回転の所定の数または範囲を生成し得る。所定の数は、図１の描写によって限定されない。回転の所定の数は、２、約５、約１０、約１５、約２０、約３０、約５０、約１００および／または回転の別の適した数であり得る。‘２２１出願における描写は、例示的であり、いずれの態様においても限定することを意図しない。
【００４２】
ペア１２の隣接している回転間の距離１２ｂは、変化し得るおよび／または約０．００５インチから約０．５インチまでの範囲および／またはそれらの間の適した距離であり得る。
【００４３】
図５は、プリント回路板５０上のコイル１７を図示する。コイル１７は、ねじられたワイヤーのペア１２を含む。コイル１７を組み立てることは、ＰＣＢ構造５１によって導かれ得、これは、図５に描かれているように、螺旋状に配置され得る。コイル１７は、コイル１７の周辺にワイヤー端１５ａと１５ｂを含み得、コイル１７の中央にワイヤー端１５ｃと１５ｃを含み得る。図５に描かれているコイル１７は、ワイヤレスデバイスによって放出された電磁放射を遮蔽するように構成されたシステム（例えば、図１のシステム１０）の任意の実施形態の中で使用され得る。
【００４４】
図６は、構成する図６Ａ、６Ｂ、６Ｃを通して、１つ以上の実施形態に従ったコイル１７の例示的な詳細を図示する。図６の寸法は、インチ単位である。コイル１７は、図６Ｃに描かれているように、２．００インチのコイル幅１７ｃを有し得る。図６Ａに描かれているようなねじられたワイヤーのペア１２は、銅ワイヤーを半分に折り、そして全長が図６Ｂに描かれているように８６．００インチの長さになるまで１インチごとに１２．５回転の比率でねじることによって形成され得る。銅ワイヤーは、３２ＧＡ銅マグネットワイヤーであり得る。コイル１７の螺旋は、２３回転の量と０．０３８インチの巻く間隔によって形成され得る。これらの数は、例示的であり、いずれの態様においても限定することを意図しない。回転の他の量と他の巻く間隔は、本開示の範囲と考慮される。いくつかの実施の中で、マグネットワイヤーのワニスは、ワイヤー１２の端から（例えば、それぞれの端の２インチから）取り除かれ得る。
【００４５】
図７は、構成する図７Ａ、７Ｂと７Ｃを通して、受信器１４の例示的実施形態および／またはそれの詳細を図示する。図７の寸法は、インチ単位である。図７Ａは、例示的な受信器１４の実物大の外観を例証する。受信器１４は、４５度の面取りによって０．５インチを有する角７２を含み得る。受信器１４は、１つ以上の角において構造の詳細７１を含み得る。図７Ｂに描かれているように、構造の詳細７１は、例えば、３つのスルーホールを含み得、スルーホールは、それぞれ０．０１インチの直径を有し、０．０２インチの間隔を空けられ、その上受信器１４のふちから０．０２インチの間隔を空けられている。受信器１４は、０．００４５インチのワイヤーの直径を有するメッシュ（例えば、銅で織って作られたワイヤー布）を含み得る。異なる物質のメッシュ、または異なる直径のワイヤーを有する生地を含めることは、本開示の範囲内と考慮する。
【００４６】
図８は、構成する図８Ａと８Ｂを通して、受信器の例示的実施形態および／またはそれの詳細を図示する。図８の寸法は、インチ単位である。図８Ａは、例示的な受信器１４の等大のビューを図示する。受信器１４は、図７Ｂ／７Ｃの中の構造の詳細７１と同じまたは類似している１つ以上の角において１つ以上の構造の詳細７１を含み得る。受信器１４は、０．００４５インチのワイヤーの直径を有するメッシュ（例えば、銅で織って作られたワイヤー布）を含み得る。
【００４７】
図９は、構成する図９Ａと９Ｂを通して、受信器の例示的実施形態および／またはそれの詳細を図示する。図９の寸法は、インチ単位である。図９Ａは、例示的な受信器１４の等大のビューを図示する。受信器１４は、１つ以上の丸い角９２を含み得る。受信器１４は、図７Ｂ／７Ｃの中の構造の詳細７１と同じまたは類似している１つ以上の角において１つ以上の構造の詳細７１を含み得る。受信器１４は、０．００４５インチのワイヤーの直径を有するメッシュ（例えば、銅で織って作られたワイヤー布）を含み得る。
【００４８】
図１０は、ワイヤレスデバイスから放出された電磁放射を遮蔽するように構成されたシステム１０の例示的実施形態を図示する。保持構造１１、ねじられたワイヤーのペア１２によって形成されたコイル１７と受信器１４は、図１０に描かれている。いくつかの実施の中で、コイルは、図６のコイル１７と類似または同一であり得る。いくつかの実施の中で、受信器は、図８の受信器１４と類似または同一であり得る。いくつかの実施の中で、第１の電気的結合１８ａと第２の電位的結合１８ｂは、約０．５インチ、約１インチ、約１．５インチの距離および／または別の適した距離に沿って受信器のメッシュと結合され得る。
【００４９】
図２は、ワイヤレスデバイスによって放出された電磁放射からユーザーを遮蔽するための方法２００を図示する。下に提示した方法２００の動作は、説明に役立つことが意図されている。ある実施の中で、方法２００は、１つ以上の記載されていない追加の動作でおよび／または論じた動作のうちの１つ以上の動作なしに達成され得る。加えて、方法２００の動作の図２における図示および以下に記載の順序は、限定することを意図しない。
【００５０】
動作２０２において、保持構造は、ワイヤレスデバイス上の取り外し可能な取り付けのために提供される。１つの実施の中で、動作２０２は、（図１に示されており、上に記載された）保持構造１１と類似するかまたは実質的に同じである保持構造によって行われる。
【００５１】
動作２０４において、受信器は、保持構造によって保持される。受信器は、ワイヤレスデバイスによって放出された電磁放射を受信するように構成されている。受信器は、金属性のメッシュを含む。１つの実施の中で、動作２０４は、（図１に示されており、上に記載された）保持構造１１および受信器１４と類似するかまたは実質的に同じである保持構造および受信器によって行われる。
【００５２】
動作２０６において、送信器は、保持構造によって保持される。送信器は、受信器から受信された電磁放射を送信するように構成されている。送信器は、平らな螺旋の形のコイルを形成するように螺旋状に巻かれたねじられたワイヤーのペアを含む。１つの実施の中で、動作２０６は、（図１に示されており、上に記載された）保持構造１１および送信器１３と類似するかまたは実質的に同じである保持構造および送信器によって行われる。
【００５３】
本明細書において、単語「ｃｏｍｐｒｉｓｅ（備える）、ｃｏｍｐｒｉｓｅｓ、ｃｏｍｐｒｉｓｅｄとｃｏｍｐｒｉｓｉｎｇ」またはその任意の変形、および単語「ｉｎｃｌｕｄｅ（含む）、ｉｎｃｌｕｄｅｓ、ｉｎｃｌｕｄｅｄとｉｎｃｌｕｄｉｎｇ」またはその任意の変形は、互いに完全に取り替えできると考慮され、それらの単語は全て、可能な限り最も広範囲の解釈を与えられるべきであり、その逆もまた然りである。
【００５４】
本発明は、最も現実的で好まれる実施であると現在考えられるものに基づいて、説明という目的で詳細を記載してきたが、そのような詳細は単にその目的のためにすぎず、本発明は、開示された実施に限定されず、反対に、添付された請求項の精神と範囲内にある、改変および均等な構成を網羅することが意図されることを理解されたい。例えば、本発明は、可能な限りの範囲で、任意の実施の１つ以上の特徴が任意の他の実施の１つ以上の特徴と組み合わせられることが可能であることを考慮することを理解されたい。
【図１】
2016502259.tif 000003
【図２】
2016502259.tif 000004
【図３】
2016502259.tif 000005
【図４】
2016502259.tif 000006
【図５】
2016502259.tif 000007
【図６Ａ】
2016502259.tif 000008
【図６Ｂ】
2016502259.tif 000009
【図６Ｃ】
2016502259.tif 000010
【図７Ａ】
2016502259.tif 000011
【図７Ｂ】
2016502259.tif 000012
【図７Ｃ】
2016502259.tif 000013
【図８Ａ】
2016502259.tif 000014
【図８Ｂ】
2016502259.tif 000015
【図９Ａ】
2016502259.tif 000016
【図９Ｂ】
2016502259.tif 000017
【図１０】
2016502259.tif 000018
【国際調査報告】
2016502259.tif 000019
2016502259.tif 000020
2016502259.tif 000021